(57)【要約】【課題】  簡易な構成でありながら、各種反射光や外乱交の影響を受けることもなく、色見台としての機能を兼ね備えることが可能な印刷物測定装置を提供することを目的とする。【解決手段】  この印刷物測定装置は、印刷物を載置するテーブル１と、テーブル１を支持する架台２と、テーブル１の上方を覆う屋根部材５と、テーブル１の上方に固設される照明装置と、テーブル１の後方に配置され、印刷物を走査することにより撮像する撮像部４１と、印刷物における撮像部４１により走査される領域を照明する照明手段８１と、テーブル１上に載置された印刷物を撮像部４１に対向する位置に順次移動させる搬送手段６１と、撮像部４１において撮像した印刷物の画像データから印刷物の測定データを演算する演算手段としての制御部と、この印刷物測定装置を操作するための操作パネル７とを備える。【選択図】        図２
2005114648.tif 000002
【特許請求の範囲】
【請求項１】
印刷物の画像データを読み取ることにより印刷物の測定を行う印刷物測定装置において、
印刷物を載置するテーブルと、
前記テーブルの一端に配置され、前記印刷物を走査することにより撮像する撮像手段と、
前記印刷物における前記撮像手段により走査される領域を照明する照明手段と、
前記撮像手段において撮像した印刷物の画像データから印刷物の測定データを演算する演算手段と、
を備えることを特徴とする印刷物測定装置。
【請求項２】
請求項１に記載の印刷物測定装置において、
前記印刷物を前記撮像手段に対向する位置に順次移動させる搬送手段を備える印刷物測定装置。
【請求項３】
請求項１または請求項２に記載の印刷物測定装置において、
前記撮像手段は、前記印刷物の上面を走査する第１の撮像部を備える印刷物測定装置。
【請求項４】
請求項３に記載の印刷物測定装置において、
前記撮像手段は、前記印刷物の下面を走査する第２の撮像部をさらに備える印刷物測定装置。
【請求項５】
請求項１乃至請求項４のいずれかに記載の印刷物測定装置において、
前記撮像手段は、前記テーブルの後方に配置される印刷物測定装置。
【請求項６】
請求項１乃至請求項４のいずれかに記載の印刷物測定装置において、
前記撮像手段は、前記テーブルの手前側内部に配置される印刷物測定装置。
【発明の詳細な説明】
【技術分野】
【０００１】
この発明は、印刷装置で印刷された印刷物の画像データを読み取ることにより、印刷物の測定を行う印刷物測定装置に関する。
【背景技術】
【０００２】
印刷装置で印刷された印刷物の画像データを読み取ることにより印刷物の測定を行う印刷物測定装置として、印刷物の印刷色やインキの濃度等を測定して、この測定データを印刷装置へフィードバックするものが知られている。
【０００３】
特許文献１に記載される装置は、印刷物を載置するテーブルと、印刷物を一括して撮像可能なようにテーブル面の上方に離間して配置された２次元撮像手段と、テーブル面で反射した光が２次元撮像手段の撮像画角内に入らないように所定の角度でテーブルの外方向からテーブル面に向かって光源からの光を導光する照明手段と、撮像手段で撮像した印刷物の画像データから印刷物の測定データを演算する演算手段とを備える。なお、照明手段は、照明光を発行するための光源と、光源から投射された光をテーブルに対して導光する遮光カバーと、光をテーブル面上に均一に拡散反射するための拡散反射板とからなる。
【特許文献１】特開２００３−３２４４５号公報  このため、特許文献１に記載の装置は、撮像手段が印刷物と離間しているにも関わらず、各種反射光や外乱交の影響を受けることもなく、また、色見台としての機能を兼ね備えることも可能となる。
【０００４】
また、特許文献２に記載される装置は、印刷物を載置するための載置台と、載置台上を走行可能なミラーヘッドと、ミラーヘッドからの走査光を反射するための固定ミラーと、固定ミラーから走査光を受光するための受光ヘッドとからなる。ミラーヘッドは、印刷物の左右方向長さをカバーする長尺状のミラーと、このミラーと略同一長さで平行して設けられた棒状の光源とからなり、ミラーおよび光源は一体的に固定されている。このミラーヘッドが載置台上の１〜３ｃｍ程度上方を平行移動することによって、印刷物の画像データを読み取ることとしている。
【特許文献２】特開２００３−１４５７２１号公報  以上のような構成により、特許文献２に記載の装置は、高解像度で印刷物の測定を行うことができるとともに、照明手段を簡易な構成としながらながら、外乱の影響を受けることなく測定を行うこともできる。
【発明の開示】
【発明が解決しようとする課題】
【０００５】
しかしながら、特許文献１に記載されるような装置は、各種反射光や外乱交の影響を受けないために、照明手段の構成が複雑になるという問題が生じる。一方、照明手段を簡易な構成とした特許文献２に記載されるような装置は、載置台上全域に光を均一に拡散反射させるように構成されないことから、色見台としての機能を兼ね備えることができない。
【０００６】
この発明は、以上のような課題を解決するためになされたものであり、簡易な構成でありながら、各種反射光や外乱交の影響を受けることもなく、色見台としての機能を兼ね備えることが可能な印刷物測定装置を提供することを目的とする。
【課題を解決するための手段】
【０００７】
請求項１に記載の発明は、印刷物の画像データを読み取ることにより印刷物の測定を行う印刷物測定装置において、印刷物を載置するテーブルと、前記テーブルの一端に配置され、前記印刷物を走査することにより撮像する撮像手段と、前記印刷物における前記撮像手段により走査される領域を照明する照明手段と、前記撮像手段において撮像した印刷物の画像データから印刷物の測定データを演算する演算手段とを備えることを特徴とする。
【０００８】
請求項２に記載の発明は、請求項１に記載の発明において、前記印刷物を前記撮像手段に対向する位置に順次移動させる搬送手段を備える。
【０００９】
請求項３に記載の発明は、請求項１または請求項２に記載の発明において、前記撮像手段は、前記印刷物の上面を走査する第１の撮像部を備える。
【００１０】
請求項４に記載の発明は、請求項３に記載の発明において、前記撮像手段は、前記印刷物の下面を走査する第２の撮像部をさらに備える。
【００１１】
請求項５に記載の発明は、請求項１乃至請求項４のいずれかに記載の発明において、前記撮像手段は、前記テーブルの後方に配置される。
【００１２】
請求項６に記載の発明は、請求項１乃至請求項４のいずれかに記載の発明において、前記撮像手段は、前記テーブルの手前側内部に配置される。
【発明の効果】
【００１３】
請求項１に記載の印刷物測定装置によれば、テーブルの一端に配置され、印刷物を走査することにより撮像する撮像手段と、印刷物における撮像手段により走査される領域を照明する照明手段とを備えることから、簡易な構成でありながら、各種反射光や外乱交の影響を受けることもなく、色見台としての機能を兼ね備えることが可能な印刷物測定装置を提供することが可能となる。
【００１４】
請求項２に記載の印刷物測定装置によれば、印刷物を撮像手段に対向する位置に順次移動させる搬送手段をさらに備えることから、作業者の操作を簡易なものとすることが可能となる。
【００１５】
請求項３に記載の印刷物測定装置によれば、撮像手段は、印刷物の上面を走査する第１の撮像部を備えることから、印刷物の上面を測定することが可能となる。
【００１６】
請求項４に記載の印刷物測定装置によれば、撮像手段は、印刷物の下面を走査する第２の撮像部をさらに備えることから、印刷物の両面を測定することが可能となる。
【００１７】
請求項５および請求項６に記載の印刷物測定装置によれば、かかる撮像手段の配置から、省スペースを実現することが可能となる。
【発明を実施するための最良の形態】
【００１８】
以下、この発明の実施の形態を図面に基づいて説明する。
【００１９】
図１は、この発明の第１実施形態に係る印刷物測定装置を示す斜視図であり、図２はその後方を示す斜視図である。なお、図１では紙面手前側が作業者が操作を行う場合の操作側である。以下、単に手前側と記載した場合は、上記図１における紙面右下側（操作側）を表し、後方と記載した場合は、上記図１における紙面左上側を表すものとする。
【００２０】
この印刷物測定装置は、画像データを読み取ることにより印刷物の測定を行うものであり、印刷物を載置するテーブル１と、テーブル１を支持する架台２と、テーブル１の上方を覆うように配置される屋根部材５と、テーブル１の上方に固設される照明装置３と、テーブル１の後方に配置され、印刷物を走査することにより撮像する撮像部４１と、印刷物における撮像部４１により走査される領域を照明する照明手段８１と、テーブル１上に載置された印刷物を撮像部４１に対向する位置に順次移動させる搬送手段６１と、撮像部４１において撮像した印刷物の画像データから印刷物の測定データを演算する演算手段手段としての制御部５０（図４参照）と、この印刷物測定装置を操作するための操作パネル７とを備える。
【００２１】
このため、この印刷物測定装置は、簡易な構成でありながら、各種反射光や外乱交の影響を受けることもなく、色見台としての機能を兼ね備えることが可能な印刷物測定装置を提供することが可能となる。
【００２２】
テーブル１は、最大用紙サイズとして菊全印刷版（１０３０ｍｍ×８００ｍｍ）を十分に載置することができる大きさを有する。そして、テーブル１の手前側には、作業用具類（例えば、ルーペや筆記用具等）を置くことができる場所が確保されている。このテーブル１は、作業者が作業をしやすいように水平から０度〜２０度程度、手前側から後方に向かって上昇方向に傾斜していることが好ましい。なお、この実施形態においては、このテーブル１は、操作側から後方に向かって上昇方向に約１０度の傾斜を有する。
【００２３】
このテーブル１の表面上には、印刷物の手前側から向かって左側を粗位置決めする紙当たり部材１０１と印刷物の手前側を粗位置決めするための紙当たり部材１０２とが備えられる。印刷物の位置決めは、作業者により印刷物をまず手前側の紙当たり部材１０２に当接させ、次に印刷物を横方向にスライド移動させて左側の紙当たり部材１０１に当接させることにより行われる。なお、紙当たり部材１０１、１０２は、線状または複数のピン状の部材等により構成されることとしてもよい。また、印刷物のサイズにより紙当たり部材１０１、１０２の位置を適宜選択移動できる構成としてもよい。さらに、印刷物の位置決めするために、紙当たり部材１０１、１０２を使用する代わりに、テーブル１上に票線を設けることとしてもよい。
【００２４】
架台２は、テーブル１を支持する筐体である。この架台２の内部には、演算手段を構成する制御部５０等の電装部が格納される。また、この架台２の手前側前面には、各種予備部材を格納するための図示しない引き出しが備えられる。さらに、この架台２の後方には、テーブル１面に対して略垂直方向に平面を有する板状部材６が備えられる。この板状部材６とテーブル１面との間には印刷物が通過可能な挿入口９が設けられている。
【００２５】
なお、架台２のテーブル１の手前側には、インキ、水、見当操作盤１０が設置されている。このため、色見台としてのオペレーションを行うことができる。
【００２６】
屋根部材５は、テーブル１の上方を覆うように配置される。この屋根部材５は、架台２に支設される。そして、屋根部材５は、これらの支柱の湾曲に沿った湾曲形状を有する。この屋根部材５により、テーブル１に載置された印刷物に対するパウダー等の汚染物の落下を防止することができる。
【００２７】
照明装置３は、テーブル１の上方に屋根部材５に固設される。この照明装置３により印刷物を十分かつ均一に照明することが可能となる。これにより、印刷物の見当を確認することができる。
【００２８】
図２に示すように、撮像部４１、照明手段８１、および、搬送手段６１は、印刷物測定装置の後方に配置される。これらは、上下方向に、上方から撮像部４１、照明手段８１、搬送手段６１の順に配置される。
【００２９】
搬送手段６１は、搬送ローラ６２と、ニップローラ６３とを備える。搬送ローラ６２は、その上面がテーブル１の後方における上面と略同一の高さとなるように、回転可能に備えられる。また、搬送ローラ６２は、図示しない排気手段等に接続され、印刷物における当該搬送ローラ６２上に搬送された領域を吸着可能な構成となっている。このため、吸着ローラ６２上に到達した印刷物は、搬送ローラ６２により吸着保持されるとともに、この搬送ローラ６２の回転に伴い、順次移動される。これにより、作業者自ら搬送操作をする必要がなく、作業者の操作を簡易にすることが可能となる。
【００３０】
さらに、搬送された印刷物は、搬送ローラ６２とニップローラ６３との間を通過する。このため、搬送ローラ６２上に搬送された印刷物は、撮像部４１と対向する領域において、撮像部４１との距離が略同一となる。これにより、撮像部４１は、印刷物の適正な画像を撮像することができる。なお、搬送手段６１の下方に紙受け６４が設置される。このため、搬送手段６１により搬送された印刷物が、紙受け６４に沿って移動する。これにより、搬送された印刷物に対する損傷を抑制することができる。
【００３１】
この発明の第１実施形態に係る印刷物測定装置は、以上のような構成を有することにより、印刷物の上面を測定することが可能となる。
【００３２】
図３は、この発明の第１実施形態に係る撮像部４１および照明手段８１を示す説明図である。
【００３３】
撮像部４１は、走査光を集光して結像する２個の光学レンズ１５と、各光学レンズ１５により結像された走査光を光電変換する２個のＣＣＤラインセンサ１６とを備える。光学レンズ１５は、複数のレンズからなるレンズ群により構成される。そして、光学レンズ１５は、その光軸が印刷物の搬送方向に対して垂直方向に向くように設置される。ＣＣＤラインセンサ１６は、ＲＧＢの３波長のフィルタを備えた３列のＣＣＤ画素列からなる。なお、第１実施形態における撮像部４１は、２個のＣＣＤラインセンサ１６を備えることとしているが、高画素数の単独ラインセンサを備えることとしてもよく、画素数が不足する場合には、２以上のＣＣＤラインセンサを備えることとしてもよい。例えば、８０００画素程度のＣＣＤラインセンサを使用する場合には、２個乃至４個程度のＣＣＤラインセンサを並列して配置する。
【００３４】
照明手段８１は、搬送手段６１と撮像部４１との間に設置され、印刷物における撮像部４１により走査される領域を照明する。この照明手段８１は、図示しない２本の蛍光灯ランプと、２本の蛍光灯ランプを印刷物測定装置における左右方向に並行に固設する固設部と、これらの２本の蛍光灯ランプの間に走査光を通過させるスリット部８１ａを有する。なお、第１実施形態における照明手段８１は、蛍光灯ランプを使用することとしているが、印刷物における撮像部４１により走査される領域に対して十分な光量を与えるものであれば、他の照明手段を使用することとしてもよい。
【００３５】
図４は、演算手段を構成する制御部５０の電気的構成を示すブロック図である。
【００３６】
制御部５０は、架台２内に格納され、この印刷物測定装置の制御に必要な動作プログラムが格納されたＲＯＭ５１と、測定されたデータ等が一時的にストアされるＲＡＭ５２と、論理演算を実行するＣＰＵ５３とをを備える。この制御部５０は、図示しないケーブルにより撮像部４１および操作パネル７とに接続される。そして、撮像部４１により撮像された画像データが演算手段を構成する制御部５０に転送され、演算手段を構成する制御部５０で、転送された画像データの表色値または色濃度値が演算される構成となっている。また、制御部５０は、印刷装置１００とオンラインで接続され、演算結果が印刷装置のインキ供給量の制御に反映される構成となっている。
【００３７】
操作パネル７は、感圧入力機能を有する液晶モニタである。この操作パネル７は、印刷物測定装置の操作を行うための入力手段として機能するとともに、上述の演算結果を示す表示手段としても機能する。
【００３８】
図５は、この発明の第１実施形態に係る印刷物測定装置を使用する手順を示すフローチャートである。
【００３９】
この発明の第１実施形態に係る印刷物測定装置を使用する場合には、まず、作業者は測定する印刷物をテーブル１上に載置し、紙当たり部材１０１、１０２に当接させて、位置決めを行う（ステップＳ１）。そして、作業者は、ステップＳ１においてテーブル１上に載置された印刷物の見当を確認する（ステップＳ２）。なお、作業者がテーブル１上に載置された印刷物の見当を確認する替わりに、基準マークの付された印刷物をテーブル１上に大まかに位置決めして、後のステップにより撮像された印刷物を画像データとした後、かかる基準マークを利用して画像処理を行うことにより、画像データ上で見当を合わせることとしてもよい。
【００４０】
この見当の確認が終了すると（ステップＳ３）、作業者は、印刷物をテーブル１面に沿って後方に押し出し、挿入口９を通過させる。挿入口９を通過した印刷物の先端が搬送手段６１に到達すると、印刷物は搬送ローラ６２に吸着保持され、搬送ローラ６２の回転に伴って、自動的に撮像部４１に対向する位置に順次移動される。このとき、搬送手段６１の上方に備えられる撮像部４１により、印刷物が撮像される（ステップＳ４）。
【００４１】
ステップＳ４において撮像され、ＣＣＤラインセンサ１６により光電変換された画像データは、ケーブルを介して制御部５０に転送され、演算される（ステップＳ５）。このようにして演算された結果は、操作パネル７上に表示されるとともに、オンラインで接続された図示しない印刷装置に転送される。この印刷装置では、この演算結果に基づいて、インキ供給量をフィードバック制御等により調整することができる。なお、この演算手段として、ＲＧＢ画像データからＬ＊ａ＊ｂ＊等の表色値を演算する方法や、ＹＭＣＫ色濃度を演算する方法等を採用することとしてもよい。
【００４２】
次に、この発明の他の実施形態について、図面に基づいて説明する。なお、第１実施形態と同一の部材については、同一の記号を付して詳細な説明を省略する。
【００４３】
図６は、この発明の第２実施形態に係る印刷物測定装置の後方を示す斜視図である。
【００４４】
この発明の第１実施形態に係る印刷物測定装置は、撮像部４１が搬送手段６１の上方に備えられ、搬送される印刷物の上面のみを撮像可能な構成となっているが、第２実施形態に係る印刷物測定装置は、さらに、搬送手段６１の下方に第２の撮像部４２と第２の照明手段８２とを備える。これらの部材は、上下方向に、下方から第２の撮像部４２、第２の照明手段８２の順に配置される。この第２の撮像部は、第１実施形態における撮像部４１と同一部材により構成され、第２の照明手段は、第１実施形態における照明手段８１と同一部材により構成される。
【００４５】
この発明の第２実施形態に係る印刷物測定装置は、以上のような構成を有することから、印刷物の下面を走査し、測定することが可能となる。
【００４６】
なお、この第２実施形態における撮像部４１および照明手段８１は、搬送ローラ６１との間に前後方向に若干の距離が生じるように配置される。そして、第２の撮像部４および第２の照明手段８１は、撮像部４１および照明手段８１と前後方向の位置が一致するように配置される。このため、印刷物における上面および下面をほぼ同時に走査し、測定することが可能となる。
【００４７】
図７は、この発明の第３実施形態に係る印刷物測定装置における架台２の内部を側方からみた概略断面図である。
【００４８】
この発明の第２実施形態に係る印刷物測定装置は、撮像部４１、第２の撮像部４２、照明手段８１、照明手段８２および搬送手段６１がテーブル１の後方に配置されることとしていたが、この発明の第３実施形態に係る印刷物測定装置は、撮像部４１、第２の撮像部４２、照明手段８１を構成する蛍光ランプ８１ｂ、照明手段８２を構成する蛍光ランプ８２ｂおよび搬送手段６１がテーブル１の手前側内部に配置される。この第３実施形態に係る印刷物測定装置は、テーブル１の手前に印刷物を搬送手段６１へ導くための挿入口９が形成される。この印刷物測定装置において印刷物を測定する場合には、印刷物の先端を挿入口９内に挿入し、搬送手段６１へ到達させる。このようにして搬送手段６１に到達した印刷物は、搬送手段６１により紙受け６４へ自動的に搬送される。この発明の第３実施形態に係る印刷物測定装置は、以上のような構成を有することから、省スペースを実現することが可能となる。
【００４９】
なお、この印刷物測定装置は、さらにミラー７１、７２とを備える。このミラー７１、７２により、それぞれ、印刷物における走査する領域の走査光が反射され、この反射光が撮像部４１、第２の撮像部４２へ導入される。これにより、撮像部４１および第２の撮像部４２を、印刷物において走査される領域と対向させるように配置する必要がなく、さらに省スペースを実現することが可能となる。
【図面の簡単な説明】
【００５０】
【図１】この発明の第１実施形態に係る印刷物測定装置を示す斜視図である。
【図２】この発明の第１実施形態に係る印刷物測定装置の後方を示す斜視図である。
【図３】この発明の第１実施形態に係る撮像部４１および照明手段８１を示す説明図である。
【図４】この発明の第１実施形態に係る演算手段を構成する制御部５０の電気的構成を示すブロック図である。
【図５】この発明の第１実施形態に係る印刷物測定装置を使用する手順を示すフローチャートである。
【図６】この発明の第２実施形態に係る印刷物測定装置の後方を示す斜視図である。
【図７】この発明の第３実施形態に係る印刷物測定装置における架台２の内部を側方からみた概略断面図である。
【符号の説明】
【００５１】
１      テーブル
２      架台
３      照明装置
５      屋根部材
６      板状部材
７      操作パネル
９      挿入口
１０    見当操作盤
１５    光学レンズ
１６    ＣＣＤラインセンサ
４１    撮像部
４２    第２の撮像部
５０    制御部
５１    ＲＯＭ
５２    ＲＡＭ
５３    ＣＰＵ
６１    搬送手段
６２    搬送ローラ
６３    ニップローラ
７１    ミラー
７２    ミラー
８１    照明手段
８１ａ  スリット部
８１ｂ  蛍光ランプ
８２    第２の照明手段
８２ｂ  蛍光ランプ
１００  印刷装置
１０１  紙当たり部材
１０２  紙当たり部材
【図１】
2005114648.tif 000003
【図２】
2005114648.tif 000004
【図３】
2005114648.tif 000005
【図４】
2005114648.tif 000006
【図５】
2005114648.tif 000007
【図６】
2005114648.tif 000008
【図７】
2005114648.tif 000009